(57)【要約】【課題】折り畳み式での袋体の開口部に排尿処理用の受け口を設けてなる携帯トイレにおいて、利用者が健常者、高齢者に係わらず、暗がりや、ベツト傍、ベット内等での不自然な体位においても迅速に排尿対応が出来、携帯、後処理が容易な使い勝手の良い携帯トイレを提供すること。【解決の手段】  ポリエチレン樹脂シート等の袋体でなる、携帯トイレにおいて、当該袋体１を折り線１ａ付きの細長筒状の開口部２の縁部での表面に沿うって、接着テープ３の接着面３ａ巾内に貼り付けた厚紙４と一緒に巻き付け接着での受け口２０ａにし、当該袋体に凝固剤Ａを封入した構成とする。【選択図】図１
2016147032.tif 000002
【特許請求の範囲】
【請求項１】
ポリエチレン樹脂シートなどの袋体でなる、携帯トイレにおいて、当該袋体（１）を折り線（１ａ）付きの細長筒状の開口部（２）の縁部での表面に沿うって、接着テープ（３）の接着面（３ａ）の巾内に貼り付けた厚紙（４）と一緒に巻き付け接着での受け口（２０ａ）にし、当該袋体に凝固剤（Ａ）を封入したことを特徴とする、携帯トイレ。
【請求項２】
前記する受け口の縁部で、袋体の双方の折り線の中間に位置して、カギ状孔（５）を設けことを特徴とする請求項１記載の、携帯トイレ。
【発明の詳細な説明】
【技術分野】
【０００１】  この発明は、車での移動中やトイレの無い環境内での非常事態で素早く排尿行為を行うに使う折り畳み持参可能な袋体構成での携帯トイレに関する。
【背景技術】
【０００２】  この種の従来の技術で、最も近い技術として、一般に知られる携帯トイレは、図５での一部断面での全体を示しての斜視図で述べるに、ポリエチレン樹脂シートでなる矩形状の折り線１０ａ付きで、２枚合わせの一般的な折り畳まれた袋体１０で、底部に対向する開口部２０の一方端部寄りに位置して、個別でなる切り口が傾斜で成る折り畳み四角錐筒状開きの受け口２０ａからなるポリエチレン樹脂シートに貼り付けられた厚紙４０を表面にして袋体の開口部の一部に接着されての携帯トイレが知られる。そして、排尿使用時に前記受け口の厚紙には４本の厚紙折り線４ａが刻まれた、対向する２本の厚紙折り線に使用者が握り手で押し圧Ｐを付加することで、他の対向でなる２本の厚紙折り線は四角錐筒状に拡張ＰＰし、該押し圧を解除することで元にしぼむ仕組みである。
更にまた、前記する受け口の付いた袋体に中には凝固剤となる吸水ポリマーが封印され、折り畳まれて持ち運びが出来非常時の排尿に役のたつ携帯トイレを構成している。【０００３】  前記する携帯トイレは、トイレの無い環境で排尿に使うが、非常時には身元に携帯する折り畳まれた携帯トイレを開成し、袋体の受け口を持ち握り、指定の２本の厚紙折り線に指お当て、指の押し圧で受け口を四角錐筒状に拡張させ開成し、利き手を使って人体の排尿出先を受け口に持って行き差し込んだ状態で袋体の中に両手を使って排尿することが出来る。排尿された袋体の尿は袋体に封入された凝固剤の吸水ポリマーに混じり、直ちにゼリー状に固まることで、袋体の開口部を封印すなどでして、処理場に持ち込み袋体の中の固まった尿を便所などに取り出す処理を行い、袋体は分別ごみとして廃棄することになる。
【発明の概要】
【発明が解決しようとする課題】
【０００４】  しかしながら、従来技術での携帯トイレは、袋体に付けた受け口の開口部が傾斜状に形成し且つ、袋体開口部の中央部に無いことで使い方で開口部の定位置に規制され、傾斜部の頂部を下向きに配置しない限り排尿を袋体に注入するのに支障を来たす等の課題を残す。このように、開口部の受け口の指向性の支障は使用者の体位が暗がりやベツト内など受け口を目視を頼らず手触りでの操作には不向きな構成となる。又溜められた排尿の袋体を封印する作業に難があり、又袋体に溜められたゼリー状の排尿の袋体から外部に絞り出して分別廃棄作業に、袋体の開口部の偏りに設けているため、溜められたゼリー状がスムーズに絞り出すに難がある。【０００５】  係る課題を鑑み、車内での排尿処理はもとより高齢者向けのでの頻尿、頻度の多い排尿利用に最適で、更に排尿作業に暗がりや寝床などでの不自然な利用体位でも最適な排尿処理を行え、後始末にしても手間の掛からない、袋体の封印や分別廃棄の簡単な携帯トイレの具現化が元より望まれていた。
【課題を解決するための手段】
【０００６】  請求項１での発明は、図１での一部断面での全体を示しての斜視図で述べるに、ポリエチレン樹脂などで成る携帯トイレにおいて、当該袋体１を折り線１ａ付きの細長筒状の袋体で開口部２の縁部の表面に沿うって、接着テープ３の巾内に貼り付けた厚紙４と一緒に巻き付け接着での受け口２０ａにし、当該袋体に凝固剤Ａを封入した構成とする。
又請求項２での発明は、図２での使用例を示しての全体斜視図で述べるに、前記する接着テープと厚紙でなる袋体開口部の双方の折り線の中間に位置して、対でなるカギ状孔５を設けた構成で、このスリットの付いた孔は携帯トイレを持参するに折り畳んだ袋体を束ねる為に使うクッション性のゴムヒモＢをはめ込み携帯トイレの解けるのを防ぐのに利用する。このゴムヒモは排尿処理後の袋体の開口部を封印の結束と解除に使うに便利である。
【発明の効果】
【０００７】  本発明は上述の様に構成作用するので、次の優れた効果を奏する。即ち、発明効果は排尿を溜める袋体が折り畳み自在で細長い大容量でなる屈曲自在な筒状の開口部にダイレクトに排尿の受け口を直結したことで、２本の折り線を手感での押し圧を付加するだけで円錐状に開口する為、使い勝手の良い携帯トイレを提供出来る。詳しくは、様々な変則的な体位と使用頻度の繰り返しと非常時の環境などでも安直に使える。更に、使用後の後始末の袋体の結束や廃棄物の処理が楽に出来るなどの利便性の高い携帯トイレを提供出来る。
【図面の簡単な説明】
【０００８】
【図１】  本発明に係わる第１実施例での一部断面での全体を示しての斜視図である。
【図２】  本発明に係わる第２実施例での使用例を示しての斜視図である。
【図３】  本発明に係わる第２実施例での携帯での折り畳まれての斜視図である。
【図４】  本発明に係わる排尿を袋体に収納封印での二方法での斜視図である。
【図５】  従来技術での全体を示しての斜視図である。
【発明を実施するための形態】
【０００９】  以下に図示の実施例に基づいて本発明を更に詳細に説明する。
即ち、図１は本発明での第１実施例に基づく全体を示しての部分断面での斜視図で、ポリエチレン樹脂シートで加工された袋体１でこれらは、折り線１ａ付きの細長い筒状の袋体の底に対向する開口部２には、その縁部の表面に沿うって接着テープ３を使いその接着面に厚紙４を貼り合わせて接着した開口部に構成することで、筒状袋体の開口部の一定の巾で表面全周に厚紙が接着テープで巻きつけ一体化され、厚紙は袋体の折り線に整合して設けられ、折り線をグリップすることで開口部の折り畳み式開閉自在構成とする。次に、図２での使用例での斜視図で示す様に、使用時に開口部の対向する折り線に付加する握り手の指先押し圧Ｐによって折り線の中間部が湾曲状に拡張ＰＰし、排尿の受け口２０ａとなる。
次に、第２実施例を図２で示すが、袋体の双方の折り線の中間に位置して設けたカギ状孔５を使い図３での斜視図で示すが、携帯トイレの持ち運び時に折り畳まれた袋体が解けたり袋体に収納した粉末状の凝固剤の保持を確保する為のゴムヒモＢを使いカギ孔にはめ込み束ねるのに使われ、或いは、図４での排尿封印での袋体の開口部周辺を捩ってエボ結び結束ＢＢやゴムヒモ使いで固く結ぶなどで袋体の封印を行い持ち運び携帯を便利にする構成としている。
【符号の説明】
【００１０】Ａ                凝固剤
Ｂ                ゴムヒモ
ＢＢ              結束
Ｃ                受け口ポリシート
Ｐ                押し圧
ＰＰ              拡張
１，１０          袋体
１ａ，１０ａ      折り線
２，２０          開口部
２０ａ            受け口
３                接着テープ
３ａ              接着面
４，４０          厚紙
４ａ              厚紙折り線
５                カギ状孔
【図１】
2016147032.tif 000003
【図２】
2016147032.tif 000004
【図３】
2016147032.tif 000005
【図４】
2016147032.tif 000006
【図５】
2016147032.tif 000007